(57)【要約】【課題】袋体を構成している対向側壁が薄い場合や剛性を高くできない場合にも適用できるようにする。【解決手段】袋体６の開口側を形成して互いに対向している一方の開口縁６Ａと他方の開口縁６Ｂとを封止して袋体内から物品が抜けないようにする封緘用クリップである。要部は、基板１０及び可動片１５を有し、基板と可動片とが一方の開口縁６Ａを挟持した状態で互いに係合する第１部材１と、第１部材１に連結されて他方の開口縁６Ｂを可動片１５とで挟持する第２部材２とからなり、第１部材及び第２部材が一方側に設けられた係止脚２５と、他方側に設けられて前記係止脚２５を受け入れて係合する孔部１４とを有し、第１部材を一方の開口縁６Ａに基板と可動片との係合により取り付けた状態で、係止脚と孔部とを係脱することにより袋体６の開口を閉じたり開放可能となる。【選択図】図５
2015134616.tif 000002
【特許請求の範囲】
【請求項１】
袋体の開口側を形成して互いに対向している一方の開口縁と他方の開口縁とを封止して前記袋体内から物品が抜けないようにする封緘用クリップであって、
基板及び該基板に連結された可動片を有し、前記基板と前記可動片とが前記一方の開口縁を挟持した状態で互いに係合する第１部材と、
前記第１部材に連結されて前記他方の開口縁を前記可動片とで挟持する第２部材とからなり、
前記第１部材及び前記第２部材が一方側に設けられた係止脚と、他方側に設けられて前記係止脚を受け入れて係合する孔部とを有しており、
前記第１部材を前記一方の開口縁に前記基板と前記可動片との係合により取り付けた状態で、前記係止脚と前記孔部とを係脱することにより前記袋体の開口を閉じたり開放可能となることを特徴とする封緘用クリップ。
【請求項２】
前記係止脚及び前記孔部による前記第１部材と前記第２部材との係合強度が前記基板と前記可動片との係合強度より大であることを特徴とする請求項１に記載の封緘用クリップ。
【請求項３】
前記孔部は前記基板に突設した筒部により区画形成され、その筒部先端側が前記可動片に設けられた開口部と係合すると共に、前記係止脚は前記第２部材に突設されて第２部材の前記第１部材側への回動により前記孔部と係合することを特徴とする請求項１又は２に記載の封緘用クリップ。
【請求項４】
前記可動片は、前記基板にヒンジ部を介して連結され、かつ前記袋体内に位置するように設けられていると共に、前記基板よりも薄肉となっていることを特徴とする請求項１から３の何れかに記載の封緘用クリップ。
【請求項５】
前記基板は、前記筒部をその自由端側に設けていると共に、前記可動片との係合部分に対応した内面部分に凹部を形成していることを特徴とする請求項３又はは４に記載の封緘用クリップ。
【請求項６】
前記基板又は前記可動片に設けられて、一方から他方に向かって突出している位置ズレ防止用の突起を有していることを特徴とする請求項１から５の何れかに記載の封緘用クリップ。
【発明の詳細な説明】
【技術分野】
【０００１】
本発明は、各種の容器や鞘等の袋体に取り付けられて袋体の開口を閉じたり開放可能にする封緘用クリップに関する。
【背景技術】
【０００２】
図７は特許文献１に開示されている鞘の抜け止め機構を示している。ここで、刃物の身Ｂを収容する鞘１が本願の袋体に対応し、鞘１の開口側に取り付けられて収納孔２に収容した身Ｂが抜けないようにするロック部材６が本願のクリップに対応している。このロック部材６は、鞘１の開口縁の板幅方向に配置される概略片状をなし、基端内側に設けられた取付溝７と、一側に連結されて鞘１の開口部分を塞ぐ係止部８と、先端側に設けられた指掛け部９とを有している。一方、鞘１には、ロック部材６に対応して取付凹部４及び支持ピン５が設けられている。ロック部材６は、同図のごとく鞘１に対し取付溝７が支持ピン５に係合した状態に取り付けられる。同図の状態では、刃物は身Ｂが収納孔２の一部を塞いでいる係止部８に当たって抜けない。鞘１を外す場合は、指掛け部９を利用してロック部材６を矢印Ｐの方向へ回動操作すると、係止部８が収納孔２から邪魔にならない箇所へ移動されることになる。
【先行技術文献】
【特許文献】
【０００３】
【特許文献１】特開２００２−２７７０４０号公報
【発明の概要】
【発明が解決しようとする課題】
【０００４】
上記特許文献１には、図７に示した構造以外の例も開示されているが、何れもがロック部材を枢支するための支持ピン、或いは軸支部を鞘の開口縁側に設けなくてはならないため鞘等の袋体として複雑化なものとなる。加えて、鞘等の袋体に支持ピンや軸支部を一体に形成するには所定の剛性を有していなくてはならず、例えば紙製のごとく袋体の材質的な制約から適用不可能となることもある。
【０００５】
本発明の目的は、以上のような背景から、特に、袋体に収容した物品（例えば、特許文献１と同様な刃物の身や刃、それらと類似するもの）の移動及び抜けだしを防止する構造として、袋体を構成している対向側壁が薄い場合や剛性を高くできない場合にも適用でき、また、取付性及び使い勝手に優れる封緘用クリップを提供することにある。他の目的は、以下の内容説明のなかで明らかにする。
【課題を解決するための手段】
【０００６】
上記目的を達成するため本発明は、袋体の開口側を形成して互いに対向している一方の開口縁と他方の開口縁とを封止して前記袋体内から物品が抜けないようにする封緘用クリップであって、基板及び該基板に連結された可動片を有し、前記基板と前記可動片とが前記一方の開口縁を挟持した状態で互いに係合する第１部材と、前記第１部材に連結されて前記他方の開口縁を前記可動片とで挟持する第２部材とからなり、前記第１部材及び前記第２部材が一方側に設けられた係止脚と、他方側に設けられて前記係止脚を受け入れて係合する孔部とを有しており、前記第１部材を前記一方の開口縁に前記基板と前記可動片との係合により取り付けた状態で、前記係止脚と前記孔部とを係脱することにより前記袋体の開口を閉じたり開放可能となることを特徴としている。
【０００７】
以上の本発明は、請求項２〜６で特定したように具体化されることがより好ましい。
（ア）、前記係止脚及び前記孔部による前記第１部材と前記第２部材との係合強度が前記基板と前記可動片との係合強度より大きい構成である（請求項２）。
（イ）、前記孔部は前記基板に突設した筒部により区画形成され、その筒部先端側が前記可動片に設けられた開口部と係合すると共に、前記係止脚は前記第２部材に突設されて第２部材の前記第１部材側への回動により前記孔部と係合する構成である（請求項３）。
【０００８】
（ウ）、前記可動片は、前記基板にヒンジ部を介して連結され、かつ前記袋体内に位置するように設けられていると共に、前記基板よりも薄肉となっている構成である（請求項４）。
（エ）、前記基板は、前記筒部をその自由端側に設けていると共に、前記可動片との係合部分に対応した内面部分に凹部を形成している構成である（請求項５）。
【０００９】
（オ）、前記基板又は／及び前記可動片に設けられて、一方から他方に向かって突出している位置ズレ防止用の突起を有している構成である（請求項６）。
【発明の効果】
【００１０】
請求項１の発明では、特許文献１との対比から以下に挙げるような利点を有している。
第１に、本発明のクリップは、袋体に対し基板と可動片とが一方の開口縁を挟持した状態で互いに係合することにより取り付けられる。従って、この構造では、袋体に対する取付構造として、図４及び図６（ｂ）に例示されるごとく基体と可動片とを係合可能にするための単純な挿通孔を袋体側の開口縁に設けるだけでよいため、袋体を特許文献１のごとく複雑化することなく、紙製の袋体であっても適用容易となり、しかも袋体に後付方式で取り付けることも可能となる。
第２に、袋体ないしは物品の抜け防止構造としては、第１部材及び第２部材が一方側に設けられた係止脚と、他方側に設けられて係止脚を受け入れて係合する孔部とを有し、図５及び図６（ｃ）に例示されるごとく第１部材を袋体の一方の開口縁に取り付けた状態で、係止脚と孔部とを係脱することにより袋体の開口を閉じたり開放可能となるため、操作性や使い勝手に優れている。
【００１１】
請求項２の発明では、第１部材と第２部材との係止脚及び孔部による係合強度が基板と可動片との係合強度より大きいため、袋体の開口を両部材で挟持して閉じた使用状態を確実に維持できる。
【００１２】
請求項３の発明では、まず、基板と可動片との係合構造が図４に例示されるごとく基板側の筒部と可動片側の開口部との係合であり、基板と第２部材との係合構造が図５に例示されるごとく第２部材側の係止脚と前記筒部の孔部との係合である。この利点は、筒部（その孔部）が可動片側の開口部との係合、及び第２部材の係止脚との係合を兼ねるため全体を簡素化でき、かつ、図５（ｃ）に例示されるごとく係止脚が孔部に係合した使用状態では可動片側の開口部に対する筒部の係合が解除不能となるため袋体に対する取付強度も向上できる。
【００１３】
請求項４の発明では、可動片が基板にヒンジ部を介して連結されているため例えば袋体の開口縁が１ｍｍ以下の厚さでも、可動片がヒンジ部を介して基板側に接近されるため袋体の開口縁を可動片と基体との間に隙間なく挟持可能となる。また、可動片が基板よりも薄肉となっている点は、図６（ｂ）から推察されるように物品を袋体内に出し入れするときに可動片が邪魔にならず、使い勝手を維持できるようにする。
【００１４】
請求項５の発明では、特に、基板が筒部をその自由端側に設け、また可動片との係合部分に対応した内面部分に凹部を形成しているため、筒部と可動片側の開口部との係合しろを確保し易くしたり、図４（ａ）から推察されるように袋体の開口縁を可動片との間に挟持したときに挟持状態を安定維持可能にする。
【００１５】
請求項６の発明では、基板又は／及び可動片に設けられて、一方から他方に向かって突出している位置ズレ防止用の突起を有していると、突起の食い込み作用、或いは図４に例示したごとく袋体の一方の開口縁に設けられた孔７ａに係合したり、更に基板の孔１０ｂにも係合し、それらにより袋体に対する取付状態を安定維持できる。
【図面の簡単な説明】
【００１６】
【図１】（ａ）と（ｂ）は形態例の封緘用クリップを成形状態で異なる方向から見た斜視図である。
【図２】図１の封緘用クリップの細部を示し、（ａ）は上面図、（ｂ）は側面図、（ｃ）は下面図、（ｄ）は左端面図、（ｅ）は右端面図である。
【図３】（ａ）は図２（ａ）のＡ−Ａ線断面図、（ｂ）と（ｃ）は図２（ｂ）のＢ−Ｂ線断面図とＣ−Ｃ線断面図である。
【図４】上記封緘用クリップを袋体に第１部材により取り付けた状態を示し、（ａ）は側面図、（ｂ）は断面図、（ｃ）は図４（ｂ）のＤ−Ｄ線断面図である。
【図５】上記封緘用クリップを更に袋体に第２部材を第１部材に係合した使用状態を示し、（ａ）は側面図、（ｂ）は断面図、（ｃ）は図５（ｂ）のＥ−Ｅ線断面図である。
【図６】上記封緘用クリップの使用説明図で、（ａ）は袋体の上面図、（ｂ）はクリップを取り付けた状態での袋体の上面図、（ｃ）はクリップの使用状態での袋体の上面図である。
【図７】特許文献１の構造を示す説明図である。
【発明を実施するための形態】
【００１７】
次に、本発明の形態例について添付図面を参照しながら説明する。この説明では、本発明を適用したクリップの構造を詳述した後、使用要領を作動と共に明らかにする。
【００１８】
（構造）この封緘用クリップ５は、図１及び図６に示されるごとく、樹脂の射出成形体であり、容器や鞘等の袋体６に取り付けられて、袋体６の開口側を形成して互いに対向している一方の開口縁６Ａと他方の開口縁６Ｂとを封止して袋体６内から物品９が抜けないようにするものである。言い換えると、袋体６に取り付けられて、袋体６の開口側を形成して互いに対向している一方の開口縁６Ａと他方の開口縁６Ｂとを封止して、袋体６が物品９から不用意に抜けたり外れないようにするものである。
【００１９】
主な要部は、クリップ５が基板１０及び基板１０に連結された可動片１５を有し、基板１０と可動片１５とが一方の開口縁６Ａを挟持した状態で互いに係合する第１部材１と、第１部材１に連結されて他方の開口縁６Ｂを可動片１５とで挟持する第２部材２とからなる点、第１部材１及び第２部材２が一方側に設けられた係止脚２５と、他方側に設けられて係止脚２５を受け入れて係合する孔部１４とを有している点、第１部材１が一方の開口縁６Ａに対して基板１０と可動片１５との係合により取り付けられる点、その取付状態で、係止脚２５と孔部１４とを係脱することにより袋体６の開口を閉じたり開放可能となる点、孔部１４が基板１０に突設した筒部１３により区画形成され、その筒部先端側が可動片１５に設けられた開口部１８と係合する点、等にある。以下、それらの具体的構成について詳述する。
【００２０】
まず、第１部材１は、舌ないしは片状の基板１０と、基板１０にヒンジ部３を介して回動可能に連結された可動片１５とからなる。基板１０は、可動片１５と対向する内面にあって、自由端１１側に突設された筒部１３と、筒部１３の根本の両側に設けられた凹部１０ａと、筒部１３と後端１２との間に設けられた小径の孔１０ｂとを有している。
【００２１】
筒部１３は、矩形筒状であり、図３のごとく筒内が上下に貫通した孔部１４となっている。筒部１３には凸形の係合部１３ａが先端の両側（左右）に突設されると共に、孔部１４には凸形の係合部１４ａが左右内面に対向して突設されている。このうち、各係合部１３ａは、筒部１３の両側にあって、側部における前後方向の略中間より手前側（自由端１１）に突出されている。各係合部１４ａは、孔部１４の両側にあって、孔部１４の上下略中間に突設されている。
【００２２】
各凹部１０ａは、図１のごとく基板１０の内面にあって筒部１３の根本の両側を一段低く形成した段差状となっている。このような凹部構成は、係合部１３ａと後述する可動片１５側の凹状係合部１８ａとの係合しろを確保し易くしたり、袋体６の一方の開口縁６Ａを基体１０と可動片１５との間に安定挟持し易くする。一方、孔１０ｂは、後述する可動片側の突起１９と嵌合する箇所である。
【００２３】
これに対し、可動片１５は、基板１０に重ねられる大きさの片状であり、ヒンジ部３を介して基板１０の内面に向けて回動可能ないしは弾性変位可能となっている。また、可動片１５は、板厚寸法が基板１０より薄く形成されると共に、外面周縁部がヒンジ部３と連結している後端１７を除いて次第に薄くなる傾斜状に形成されている。なお、ヒンジ部３は、可動片１５の板幅よりも小さく形成され、クリップ５の使用状態で目視されないようになっている。
【００２４】
可動片１５には、自由端１６側に位置して基板側の筒部１３と係合する開口部１８と、基板１０と対向する内面にあって開口部１８と後端１７との間に突出された突起１９とが設けられている。開口部１８は、筒部１３に対応した矩形状であり、可動片１５がヒンジ部３を介して基板１０の内面側に回動されたときに筒部１３を嵌入可能な大きさである。開口部１８には、筒部１３の凸状係合部１３ａと係合する凹状の係合部１８ａが設けられている。
【００２５】
係合部１８ａは、開口部１８の両内側にあって、前後方向の略中間より手前側（自由端１６）に設けられて、断面が略Ｌ形となっている。突起１９は、略針状であり、第１部材１が図４のごとく袋体６に対し、一方の開口縁６Ａを基体１０と可動片１５との間に挟持し、かつ、係合部１３ａと係合部１８ａとの係合により取り付けられた状態で、開口縁Ａに喰い付いたり、図４のごとく開口縁６Ａの孔７ａに嵌合したり、更に基板１０の孔１０ｂに嵌合することにより、袋体６に対する第１部材１の取付強度を向上する。但し、この突起１９や孔１０ｂなどは任意であり省略しても差し支えない。
【００２６】
一方、第２部材２は、基体１０と略同じ大きさの片状であり、基板１０に対しヒンジ部４を介して回動可能に連結されている。この第２部材２は、自由端側を外面２１側へ反らすよう変形した指掛けないしは摘み部２２と、後端側を内面２０上にあって斜めに立設した起立部２３と、内面２０に突設した係止脚２５とを有している。摘み部２２は、クリップ５が図５の使用状態から、第２部材２を第１部材１から係合解除して図４の非使用状態にするときに摘み易くする。起立部２３は、第２部材２と第１部材１の基板１０との間に可動片１５及び袋体６の他方の開口縁６Ｂを安定配置可能にする。
【００２７】
係止脚２５は、図１と図３（ｂ）のごとく筒部の孔部１４に嵌入される矩形の脚形状であり、内面２０に起立された脚部２６と、脚部２６の先端の両側に設けられた凸状の係合部２７とを有している。係止脚２５の内側には、穴２６ａが設けられ、かつ、穴２６ａを二分するリブ２６ｂが設けられている。穴２６ａは係合部２７に弾性を付与する。リブ２６ｂは、脚部２６の前後内面に接合された状態で、係合部２７の弾性を損なわないようにして、脚部２６の剛性を補強する。
【００２８】
（使用要領）次に、以上の封緘用クリップ５の使用例を図４〜図６により説明する。
ここで、袋体６としては、刃物９の刃９ｂなどを収容する鞘タイプの例であるが、刃物以外の物品、好ましくは板状物品を収容する他の袋体であっても同様に適用可能である。刃物９は、替刃式ノコギリ等を想定しており、柄９ａと、刃９ｂと、刃９ｂの根本に取り付けられて柄９ａの支持部に着脱可能に連結する接続金具９ｃとからなる。
【００２９】
図６の袋体６は、長手方向に沿う両側６ａ，６ｂ及び一端側６ｃが閉じられた状態で上下の壁面の間に収容空間を形成し、また、他端側６ｄがヒンジ部６ｅを介して折り返し可能に連結された対向している一方の開口縁６Ａ、及び他方の開口縁６Ｂにより出入口を形成している。すなわち、この袋体６は、開口縁６Ａ，６Ｂにそれぞれ重なるよう設けられた矩形の挿入孔７と、一端側６ｃの近くに設けられた引掛け孔７ａと、図４（ｂ）のごとく一方の開口縁６Ａにあって挿通孔７の近くに設けられた小径の孔７ａとを有している。
【００３０】
このうち、開口縁６Ａの挿入孔７は、基板の筒部１３を嵌入可能な大きさである。これに対し、開口縁６Ｂの挿入孔７は、便宜上、開口縁６Ａの挿入孔７と略同形に形成したが、開口縁６Ａの挿入孔７より小さく形成つまり係止脚２５が嵌入される大きさであればよい。引掛け孔７ａは、袋体６をフック等に吊り下げるための孔であるが、省略されたり、形状変更されることもある。
【００３１】
（１）図６（ｂ）と図３（ａ）及び図４は、以上のクリップ５を袋体６に取り付けるときの要領を示している。この取付操作では、図６（ｂ）のごとく袋体６の開口縁６Ｂをヒンジ部６ｅを介して外方向へ折り曲げた状態にしてから、クリップ５を持って図３（ａ）のごとく基板１０と可動片１５との間に開口縁６Ａを配置し、かつ、基板側の筒部１３を開口縁６Ａの挿入孔７に下から上向きに嵌入する。その後は、可動片７を開口縁６Ａに当たるまで下向きに押す。すると、可動片７は、図４のごとくヒンジ部３を支点として回動されて開口縁６Ａを基板１０との間に挟持し、同時に開口部１８に筒部１３の先端側が入って筒部側の凸状係合部１３ａと開口部側の凹状係合部１８ａとが係合する。図６（ａ）は以上の操作によりクリップ５が袋体の開口縁６Ａに取り付けられた状態を示している。この状態では、袋体の開口縁６Ａ，６Ｂ同士が未だ封止されず開口されており、刃物の刃９ｂ及び接続金具９ｃの一部を袋体内に出し入れできる。
【００３２】
（２）図６（ｃ）及び図５は、クリップ５が以上のようにして袋体６に取り付けられ、また、袋体内に刃物の刃９ｂ及び接続金具９ｃの一部を挿入した後、開口縁６Ａ，６Ｂ同士を封止するときの要領を示している。この封止操作では、図６（ｂ）のクリップ取付状態から、開口縁６Ｂを元の位置である開口縁６Ａ側に重ねた後、第２部材２をヒンジ部４を介して開口縁６Ｂの挿入孔７側に回動する。すると、第２部材２は、図５のごとく開口縁６Ｂを可動片１５との間に挟持し、同時に第２部材側の係止脚２５が筒部１３の孔部１４に入って筒部側の凸状係合部１４ａと係止脚側の凸状係合部２７とが係合する。この係合では、係止脚側の係合部２７が係合部１４ａを通過するときに穴２６を介して弾性縮径し、通過と同時に元の形状に復帰される。
【００３３】
（３）図６（ｃ）は以上の操作によりクリップ５が袋体の開口縁６Ａ，６Ｂ同士を封止した状態を示している。この状態では、刃物９を構成している刃９ｂ及び接続金具９ｃの一部が袋体６内に収容された状態で開口縁６Ａ，６Ｂ同士の間の開口から抜け止めされ、かつ、接続金具９ｃがクリップ５の一部、特に可動片１５に規制されることにより袋体６内で動かなくなるよう拘束される。なお、以上の構造では、第１部材１と第２部材２との係止脚２５及び孔部１４による係合強度が基板１０と可動片１５との係合部１４ａ，２７による係合強度より大きくなるよう設定されている。このため、このクリップ５を使用すると、袋体６の開口を両部材１，２で挟持して閉じた使用状態を確実に維持できる。
【００３４】
（４）刃９ｂ及び接続金具９ｃを袋体６から引き出したり袋体６を外す場合は、第２部材２が図５の状態から摘み部２２を摘んで第１部材１側から離れる方向へ回動操作される。すると、第２部材２は、係合部１４ａに対する係合部２７の係合を解除した後、再び図４の状態となって開口縁６Ａと開口縁６Ｂとの間を開放する。
【００３５】
（５）以上のクリップ５では、袋体６に対する取付構造として、基体１０と可動片１５とを係合可能にするための単純な挿通孔７を袋体側の開口縁６Ａ，６Ｂに設けるだけでよいため、特許文献１のごとく袋体に支持ピンや軸支部を設ける構造に比べ、袋体６を複雑化することなく、紙製の袋体６であっても適用容易となり、しかも袋体６に後付方式で取り付けることも可能となる。
【００３６】
（６）また、物品の抜け防止構造として、第１部材１及び第２部材２が一方側に設けた係止脚２５と、他方側に設けて係止脚２５を受け入れて係合する孔部１４とを有し、第１部材１を袋体６の一方の開口縁６Ａに取り付けた状態で、係止脚２５と孔部１４とを係脱することにより袋体６の開口を閉じたり開放可能となることから、全体として操作性や使い勝手にも優れている。
【００３７】
（７）以上の構造では、基板１０と可動片１５との係合構造が基板側の筒部１３と可動片側の開口部１８との係合であり、基板１０と第２部材２との係合構造が第２部材側の係止脚２５と筒部側の孔部１４との係合である。これにより、この構造では、例えば、筒部１３（その孔部１４）が可動片側の開口部１８との係合、及び第２部材２の係止脚２５との係合を兼ねるため全体を簡素化し易くなり、かつ、係止脚２５が孔部１４に係合した使用状態では可動側の開口部１８に対する筒部１３の係合が解除し難くなるため袋体６に対する取付強度も向上できることになる。
【００３８】
（８）以上の構造では、可動片１５が基板１０にヒンジ部３を介して連結されていることから、例えば袋体６の開口縁６Ａ，６Ｂが１ｍｍ以下の厚さであっても、可動片１５がヒンジ部３を介して基板側に接近可能となり、これによって袋体６の開口縁６Ａ又は６Ｂを可動片１５と基体１０との間に隙間なく挟持できる。この利点は、例えば、樹脂の金型成形において挟持形状としてＵ形状に形成すると、金型構造上の制約でＵ形の隙間が少なくとも０．８ｍｍとなり、袋体の開口縁が厚さ０．５ｍｍの場合だとガタが生じ問題となるため、そのような対策となる。
【００３９】
（９）また、可動片１５が基板１０よりも薄肉となっているため、特に薄い物品を袋体６内に出し入れするときに可動片１５が邪魔にならず、使い勝手を良好に維持できる。また、この構造では、特に基体１０が可動片１５との係合部分に対応した内面部分に凹部１０ａを形成しているため、筒部１３と開口部１８との係合しろを確保し易く、袋体の開口縁６Ｂを可動片１５との間に挟持したときに挟持状態を安定維持し易い。
【００４０】
なお、本発明の封緘用クリップは、請求項で特定される構成を備えておればよく、細部は形態例を参考にして変更したり展開可能なものである。その例を挙げると、袋体としては用途的な制約はなく、封緘用クリップの使用数は複数を同時に使用するようにしてもよい。構造的には、係止脚２５を第１部材の基板１０側に設け、孔部１４を第２部材２側に設けることも可能である。また、板位置ズレ防止用突起１９は、基板側に設けたり、基板及び可動片の両方に設けるようにしてもよい。
【符号の説明】
【００４１】
１・・・・第１部材
２・・・・第２部材
３・・・・ヒンジ部
４・・・・ヒンジ部
５・・・・クリップ
６・・・・袋体（６ｅはヒンジ部、６Ａと６Ｂは一方と他方の開口縁）
７・・・・挿通孔
８・・・・吊り下げ用孔
９・・・・刃物（物品に相当し、９ａは柄、９ｂは刃、９ｃは接続金具）
１０・・・基板（１３は筒部、１４は孔部、１３ａと１４ａは係合部）
１５・・・可動板（１８は開口部、１８ａは係合部、１９は突起）
２２・・・摘み部
２５・・・係止脚（２６は脚部、２７は係合部）
【図１】
2015134616.tif 000003
【図２】
2015134616.tif 000004
【図３】
2015134616.tif 000005
【図４】
2015134616.tif 000006
【図５】
2015134616.tif 000007
【図６】
2015134616.tif 000008
【図７】
2015134616.tif 000009